(57)【要約】【課題】短縮した釣竿の長さを問わず使用できるとともに、その長さに応じて可及的にケースをコンパクトに携帯することができ、かつ携帯中に負荷される外力から釣竿を充分に保護することができる釣竿用ケースを提供する。【解決手段】左右方向の一端が開口したアウターケース３内に、同じく左右方向の一端が開口したインナーケース２における前記開口１３端部側を、他方の端部をアウターケース３の前記開口４から外部に突出させた状態で嵌入させるとともに、インナーケース２のアウターケース３ヘの左右方向の嵌入度合を調節可能とし、かつインナーケース２とアウターケース３の一方に設けた係止部１１を、他方に設けた係止受け７に係止させることにより、前記嵌入度合の調節後の位置固定を行うようにした釣竿用ケースとする。
2007083391.tif 000002
【特許請求の範囲】
【請求項１】
左右方向の一端が開口したアウターケース内に、同じく左右方向の一端が開口したインナーケースにおける前記開口端部側を、他方の端部をアウターケースの前記開口から外部に突出させた状態で嵌入させるとともに、インナーケースのアウターケースヘの左右方向の嵌入度合を調節可能とし、かつインナーケースとアウターケースの一方に設けた係止部を、他方に設けた係止受けに係止させることにより、前記嵌入度合の調節後の位置固定を行うようにしたことを特徴とする釣竿用ケース。
【請求項２】
アウターケースを、蝶番をもって連結され、上下方向に開閉可能とした下側ケース部材と上側ケース部材とより構成し、アウターケースを開いた状態として、インナーケースをアウターケースに嵌入するようにしたことを特徴とする請求項１記載の釣竿用ケース。
【請求項３】
アウターケースの上側ケース部材と下側ケース部材の少なくとも一方の内面と、インナーケースとに、一方に係止部、他方に係止部受けを設けるとともに、係止部と係止受けの少なくとも一方を、左右方向に複数設け、この複数設けた係止部または係止受けから選択して、他方に設けた係止受けまたは係止部に係止させることにより、インナーケースのアウターケースヘの左右方向の嵌入度合を調節するようにしたことを特徴とする請求項１または２記載の釣竿用ケース。
【請求項４】
アウターケースの上側ケース部材と下側ケース部材の少なくとも一方の内面と、インナーケースとに、一方に係止部、他方に係止受けを、それぞれ左右方向に複数設け、インナーケースをアウターケースに、左右方向の嵌入度合を調節して嵌入させるとともに、係止部を係止受けに係止させるようにしたことを特徴とする請求項１または２記載の釣竿用ケース。
【請求項５】
インナーケースにおける、アウターケース内に嵌入させる嵌入部を、非嵌入部よりも縮径させるとともに、嵌入部を形成する筒状体の前後外表面に、左右方向の突条を設け、この突条に、左右方向に複数の係止受けを設け、かつアウターケースの上側ケース部材と下側ケース部材の少なくとも一方の内面に、左右方向に、前記係止受けと同一ピッチで複数の係止部を設けたことを特徴とする請求項１〜４のいずれかに記載の釣竿用ケース。
【請求項６】
係止部を係止ピン、係止受けを係止孔または係止用切欠き部としたことを特徴とする請求項１〜５のいずれかに記載の釣竿用ケース。
【請求項７】
アウターケースにおける下側ケース部材と上側ケース部材とを閉じた状態に保持するためのロック機構部として、下側および上側の両ケース部材の閉じ合わせ部近傍の外表面上に、それぞれロック用突片を設けるとともに、これら両ロック用突片を同時に挟持しうるロック部材を設けたことを特徴とする請求項１〜６のいずれかに記載の釣竿用ケース。
【請求項８】
アウターケースまたはインナーケースの少なくとも一方に、把手を設けたことを特徴とする請求項１〜７のいずれかに記載の釣竿用ケース。
【請求項９】
インナーケースを、下部ケース部材と上部ケース部材とを、左右方向の非開口端部側に設けたヒンジ部または蝶番をもって連結して構成し、上下方向に開閉可能としたことを特徴とする請求項１〜８のいずれかに記載の釣竿用ケース。
【請求項１０】
インナーケースの嵌入部における左右方向の中間部にヒンジ部を設けて、開口端部側を上下方向に開閉可能としたことを特徴とする請求項１〜８のいずれかに記載の釣竿用ケース。
【発明の詳細な説明】
【技術分野】
【０００１】
本発明は、釣竿用ケースに関する。
【背景技術】
【０００２】
釣竿用ケースは、種々の目的のものが提案されている。たとえば、複数の釣竿を互いに損傷しあうことはなく収容できるもの（特許文献１、特許文献２）、複数本のリール付き釣竿を上下に段違い状態に安定よく収容できるもの（特許文献３）、ケース内に収容した釣竿を、携帯時に外力から十分に保護しうるようにしたもの（特許文献４）、リールを装着した状態の釣竿全体を収容し、現地に到着後、直ちに使用可能としたもの（特許文献５）、収容保管時に腐食しないようにしたもの（特許文献６）などが挙げられる。
【特許文献１】特開２００４−２２２６５４号公報
【特許文献２】特開平１１−２７６０４７号公報
【特許文献３】特開２００４−３４４０１７号公報
【特許文献４】特開２００２−４５０９９号公報
【特許文献５】特開２００２−１７１８８８号公報
【特許文献６】特開２０００−３２８９３号公報
【発明の開示】
【発明が解決しようとする課題】
【０００３】
前記した特許文献に記載される釣竿用ケースは、それぞれ実用上有用な課題を解決するものである。
しかし、いずれの特許文献に記載される釣竿用ケースも、短縮した釣竿を、可及的にコンパクトにして携帯しうるようにしたものは存在しない。【０００４】
本発明は、短縮した釣竿の長さを問わず使用できるとともに、その長さに応じて可及的にケースをコンパクトに携帯することができ、かつ携帯中に負荷される外力から釣竿を充分に保護することができる釣竿用ケースを提供することを目的とする。
【課題を解決するための手段】
【０００５】
上記課題は、特許請求の範囲における各請求項に示すように、下記の構成を備える発明によって解決される。
(１)  左右方向の一端が開口したアウターケース内に、同じく左右方向の一端が開口したインナーケースにおける前記開口端部側を、他方の端部をアウターケースの前記開口から外部に突出させた状態で嵌入させるとともに、インナーケースのアウターケースヘの左右方向の嵌入度合を調節可能とし、かつインナーケースとアウターケースの一方に設けた係止部を、他方に設けた係止受けに係止させることにより、前記嵌入度合の調節後の位置固定を行うようにした釣竿用ケースとする。【０００６】
(２)  上記（１）項において、アウターケースを、蝶番をもって連結され、上下方向に開閉可能とした下側ケース部材と上側ケース部材とより構成し、アウターケースを開いた状態として、インナーケースをアウターケースに嵌入するようにする。【０００７】
(３)  上記（１）項または（２）項において、アウターケースの上側ケース部材と下側ケース部材の少なくとも一方の内面と、インナーケースとに、一方に係止部、他方に係止部受けを設けるとともに、係止部と係止受けの少なくとも一方を、左右方向に複数設け、この複数設けた係止部または係止受けから選択して、他方に設けた係止受けまたは係止部に係止させることにより、インナーケースのアウターケースヘの左右方向の嵌入度合を調節するようにする。【０００８】
(４)  上記（１）項または（２）項において、アウターケースの上側ケース部材と下側ケース部材の少なくとも一方の内面と、インナーケースとに、一方に係止部、他方に係止受けを、それぞれ左右方向に複数設け、インナーケースをアウターケースに、左右方向の嵌入度合を調節して嵌入させるとともに、係止部を係止受けに係止させるようにする。【０００９】
(５)  上記（１）項〜（４）項のいずれかにおいて、インナーケースにおける、アウターケース内に嵌入させる嵌入部を、非嵌入部よりも縮径させるとともに、嵌入部を形成する筒状体の前後外表面に、左右方向の突条を設け、この突条に、左右方向に複数の係止受けを設け、かつアウターケースの上側ケース部材と下側ケース部材の少なくとも一方の内面に、左右方向に、前記係止受けと同一ピッチで複数の係止部を設ける。【００１０】
(６)  上記（１）項〜（５）項のいずれかにおいて、係止部を係止ピン、係止受けを係止孔または係止用切欠き部とする。【００１１】
(７)  上記（１）項〜（６）項のいずれかにおいて、アウターケースにおける下側ケース部材と上側ケース部材とを閉じた状態に保持するためのロック機構部として、下側および上側の両ケース部材の閉じ合わせ部近傍の外表面上に、それぞれロック用突片を設けるとともに、これら両ロック用突片を同時に挟持しうるロック部材を設ける。【００１２】
(８)  上記（１）項〜（７）項のいずれかにおいて、アウターケースまたはインナーケースの少なくとも一方に、把手を設ける。【００１３】
(９)  上記（１）項〜（８）項のいずれかにおいて、インナーケースを、下部ケース部材と上部ケース部材とを、左右方向の非開口端部側に設けたヒンジ部または蝶番をもって連結して構成し、上下方向に開閉可能とする。【００１４】
(10)  上記（１）項〜（８）項のいずれかにおいて、インナーケースの嵌入部における左右方向の中間部にヒンジ部を設けて、開口端部側を上下方向に開閉可能とする。
【発明の効果】
【００１５】
本発明によると、次のような効果が奏せられる。
請求項１記載の発明によれば、インナーケースのアウターケースに対する左右方向の嵌入度合を調節することができるため、短縮した釣竿の長さを問わず使用できるとともに、その長さに応じて可及的にケースをコンパクトにすることができ、かつインナーケースとアウターケースの両ケースにより、釣竿が保護されているため、携帯中に負荷される外力から釣竿を充分に保護することができる。【００１６】
請求項３記載の発明によれば、係止部または係止受けを複数設けることにより、インナーケースのアウターケースへの嵌入度合の調節を容易に行うことができる。【００１７】
請求項４記載の発明によれば、アウターケースとインナーケースの一方に係止部、他方に係止受けを、それぞれ左右方向に複数設けることにより、インナーケースのアウターケースへの嵌入度合の調節が容易であるとともに、インナーケースをアウターケースに安定よく位置固定することができる。【００１８】
請求項５記載の発明によれば、インナーケースの縮径された嵌入部を形成する筒状体の前後の両外表面にも桁突条に係止部が設けられているため、インナーケースが、がたつくことなく安定してアウターケース内に位置固定される。【００１９】
請求項６記載の発明によれば、係止部と係止受けを容易に形成することができる。【００２０】
請求項７記載の発明によれば、操作が容易で、かつ確実にロックがなされるロック機構部を簡単に形成することができる。【００２１】
請求項８記載の発明によれば、携帯が容易である。特に、アウターケースに、釣竿用ケースを横向きにしたときの把手を設けるとともに、インナーケースに、釣竿用ケースを縦向きにしたときの把手を設けることにより、携帯を一層容易にすることができる。【００２２】
請求項９記載の発明によれば、短縮した釣竿のインナーケース内への収容が容易であるとともに、縮径されていない非嵌入部を、収容空間として利用することが容易にできる。【００２３】
請求項１０記載の発明によれば、短縮した釣竿のインナーケース内への収容が容易である。
【図面の簡単な説明】
【００２４】
【図１】本発明のＲＣの斜面図である。
【図２】ＯＣを開いた状態の斜視図である。
【図３】ＩＣとＯＣとを分離した状態を示す要部拡大斜視図である。
【図４】図２において、ＯＣにおける上側ケース部材を１８０度開いた状態における要部平面図である。
【図５】図４におけるＶ〜Ｖ線断面図を、ＯＣを閉じた状態で示す拡大断面図である。
【図６】図１における一点鎖線円Ａ内の部分拡大図である。
【図７】図６におけるVII〜VII線拡大断面図である。
【図８】使用状態を説明するためのＯＣのＵＰを開いた状態の斜視図である。
【図９】インナーケースの第２の実施形態を示す斜視図である。
【図１０】インナーケースの第３の実施形態を示す斜視図である。
【符号の説明】
【００２５】
(１)釣竿用ケース
(２)インナーケース
(３)アウターケース
(４)開口
(５)嵌入部
(６)突条
(７)係止用切欠き部
(８)蝶番
(９)下側ケース部材
(9a)内面
(10)上側ケース部材
(10a)内面
(11)係止ピン
(12)非嵌入部
(13)開口
(14)ロック機構部
(15)(16)ロック用突片
(15a)(15b)(16a)スライド用溝
(17)ロック部材
(17a)(17b) 嵌合溝
(18)閉じ合わせ部
(19) (20) 嵌合溝
(21) (23)側片
(22)仕切片
(24)釣竿
(25) (26) 把手
(27)補強用凹部
(28)インナーケース
(29)下部ケース部材
(30)上部ケース部材
(31)ヒンジ部
(32)インナーケース
(33)嵌入部
(34)ヒンジ部
(35)開口
【発明を実施するための最良の形態】
【００２６】
本発明を、実施形態に基づいて説明する。  
図１は、本発明の釣竿用ケースの斜視図、図２は、アウターケースを開いた状態の斜視図、図３は、インナーケースとアウターケースとを分離した状態を示す要部拡大斜視図、図４は、図２において、アウターケースにおける上側ケース部材を１８０度開いた状態における要部平面図、図５は、図４におけるＶ―Ｖ線断面を、アウターケースを閉じた状態で示す拡大断面図である。【００２７】
本発明の釣竿用ケース(１)は、図１に示すように、インナーケース(２)とアウターケース(３)とより構成されている。図２、図３に示すように、インナーケース(２)は、左端が閉塞され、右端が開口したやや偏平な筒状体からなり、左右方向の長さのうち、開口(４)が設けられた端部側のほぼ３分の２が縮径されている。【００２８】
この縮径部分は、左端が開口したアウターケース(３)内に嵌入しうる嵌入部(５)となっている。【００２９】
この嵌入部(５)を形成する筒状体の前後外表面には、左右方向の突条(６)(６)が、嵌入部(５)の全体に亘って設けられており、この突条(６)(６)には、係止受けとしての平面視外向きＵ字状の係止用切欠き部(７)が左右方向に所定のピッチで設けられている（図４参照）。【００３０】
一方、アウターケース(３)は、蝶番(８)をもって連結され、上下方向に開閉可能とした下側ケース部材(９)と上側ケース部材(10)とより構成されている。【００３１】
両ケース部材(９)(10)の内面(9a)(10a)には、それぞれ前後に２列、左右方向に、インナーケース(２)における係止用切欠き部(７)と同一のピッチで係止ピン(11)が設けられている。【００３２】
不使用時には、図２に示すように、インナーケース(２)における縮径された嵌入部(５)の全体を、アウターケース(３)内に嵌入させるとともに、嵌入部(５)の前後の突条(６)(６)に設けられた係止用切欠き部(７)に、まず下方からアウターケース(３)における下側ケース部材(９)の係止ピン(11)を係止させ、次いで上側ケース部材(10)を閉じて、上側ケース部材(10)の係止ピン(11)を、上方からインナーケース(２)における突条(６)の係止用切欠き部(７)に係止させる。【００３３】
このように、インナーケース(２)の係止用切欠き部(７)に、上下からアウターケース(３)の係止ピン(11)を係止させる（図５参照）ことにより、インナーケース(２)は、縮径されていない非嵌入部(12)を、アウターケース(３)の開口(13)から外部に突出させた状態で、アウターケース(３)内に固定される。
図６は、図１における一点鎖線円Ａ内の部分拡大図である。
図７は、図６におけるVII−VII線拡大断面図である。【００３４】
アウターケース(３)における下側ケース部材(９)と上側ケース部材(10)とを閉じた状態に保持するためのロック機構部(14)が設けられている。【００３５】
ロック機構部(14)は、ロック用突片(15)(16)と、ロック部材(17)とより構成されている。【００３６】
下側ケース部材(９)と上側ケース部材(10)の閉じ合わせ部(18)近傍の外表面上に、それぞれ左右方向のロック用突片(15)(16)が設けられている。上側ケース部材(10)に設けられているロック用突片(16)の左右方向の長さは、下側ケース部材(９)に設けられているロック用突片(15)のほぼ3分の１であり、両ロック用突片(15)(16)は、図６において右端を揃えて、並設されている。図７に示すように、下側ケース部材(９)に設けられているロック用突片(15)の上下面、および上側ケース部材(10)に設けられているロック用突片(16)の下面には、それぞれ断面がＶ字状の左右方向のスライド用溝(15a)(15b)(16a)が設けられている。【００３７】
一方、ロック部材(17)は、後面の上下に左右方向の嵌合溝(19)(20)を有し、左右方向の長さが下側ケース部材(９)に設けられているロック用突片(15)とほぼ同一に形成されている。【００３８】
ロック部材(17)の上部側片(21)と、上下の嵌合溝(19)(20)を仕切る仕切片(22)の下面、および下部側片(23)の上面における、それぞれの遊端近傍には、左右方向の断面Ｖ字状の突条(21a)(22a)(23a)が設けられている。【００３９】
下側ケース部材(９)と、上側ケース部材(10)とを閉じた状態に保持するには、図６において、左方よりロック部材(17)を、ロック部材(17)の前記３つの突条(21a)(22a)(23a)を、それぞれロック用突片(15)(16)のスライド用溝(16a)(15a)(15b)に嵌合させるようにして、右方にスライドすることにより、ロック部材(17)によって、両ロック用突片(15)(16)が同時に挟持されて、アウターケース(３)が開かないようにロックされる。
ロックを解除するには、ロック部材(17)を左方に移動させるとよい。【００４０】
次に、本釣竿用ケース(１)を使用する際の手順について説明する。
図８は、使用状態を説明するためのアウターケース(３)の上側ケース部材(10)を開いた状態の斜視図である。【００４１】
まず、ロック部材(17)を、左方に移動させてロックを解除し、アウターケース(３)の上側ケース部材(10)を開いて、インナーケース(２)を取り出す。【００４２】
次いで、インナーケース(２)をアウターケース(３)から取り出し、短縮させた釣竿(24)を、インナーケース(２)の開口(４)からインナーケース(２)内に収容する。【００４３】
次いで、釣竿(24)を収容したインナーケース(２)を、アウターケース(３)の下側ケース部材(９)内に、上方から嵌入する。この嵌入の際には、インナーケース(２)の開口(４)から突出している釣竿(24)が、下側ケース部材(９)内に納まるように、インナーケース(２)の下側ケース部材(９)内への左右方向の嵌入度合を調節して行う。【００４４】
図８においては、図２の場合と対比して、係止用切欠き部(７)の２ピッチ分の長さだけ、インナーケース(２)を、アウターケース(３)に対して左方に移動させた位置で嵌入させてある。【００４５】
次いで、上側ケース部材(10)を閉じて、ロック部材(17)を用いてロックすればよい。【００４６】
アウターケース(３)の下側ケース部材(９)と上側ケース部材(10)における、蝶番(８)によって開閉する開閉端線には、把手(25)(25)が設けられている。【００４７】
また、インナーケース(２)における開口(４)と反対側端部にも把手(26)（図４参照）が設けられている。【００４８】
なお、インナーケース(２)における嵌入部(５)の筒状体の外表面には、左右方向の補強用凹部(27)が設けられている。【００４９】
また、実施形態では、係止受けとしての係止用切欠き部(７)を、下側ケース部材(９)と上側ケース部材(10)の両者に設けたが、これらのいずれか一方に設けてもよい。【００５０】
図９は、インナーケース(28)の第２の実施形態を示す斜視図である。
インナーケース(28)を、下部ケース部材(29)と上部ケース部材(30)とを、左右方向の非開口端部側に設けたヒンジ部(31)をもって連結して構成し、上下方向に開閉可能としてある。【００５１】
上部ケース部材(30)と下部ケース部材(29)とを開いて、短縮した釣竿を収容し、閉じた後に、前記アウターケース(３)と同様なアウターケース(図示省略)内に嵌入し、アウターケースを閉じて携帯する。【００５２】
図１０は、インナーケース(32)の第３の実施形態を示す斜視図である。
インナーケース(32)の嵌入部(33)における左右方向の中間部にヒンジ部(34)を設けて、開口(35)を有する端部側を上下方向に開閉可能としてある。【００５３】
開いた状態で、短縮した釣竿を収容し、閉じた後に、同様に前記アウターケース(３)と同様なアウターケース(図示省略)内に嵌入し、アウターケースを閉じて携帯する。
【図１】
2007083391.tif 000003
【図２】
2007083391.tif 000004
【図３】
2007083391.tif 000005
【図４】
2007083391.tif 000006
【図５】
2007083391.tif 000007
【図６】
2007083391.tif 000008
【図７】
2007083391.tif 000009
【図８】
2007083391.tif 000010
【図９】
2007083391.tif 000011
【図１０】
2007083391.tif 000012
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
左右方向の一端が開口したアウターケース内に、同じく左右方向の一端が開口したインナーケースにおける前記開口端部側を、他方の端部をアウターケースの前記開口から外部に突出させた状態で嵌入させるとともに、インナーケースのアウターケースへの左右方向の嵌入度合を調節可能とし、かつインナーケースとアウターケースの一方に設けた係止部を、他方に設けた係止受けに係止させることにより、前記嵌入度合の調節後の位置固定を行うようにし、インナーケースにおける、アウターケース内に嵌入させる嵌入部を、非嵌入部よりも縮径させるとともに、嵌入部を形成する筒状体の前後外表面に、左右方向の突条を設け、この突条に、左右方向に複数の係止受けを設け、かつアウターケースの上側ケース部材と下側ケース部材の少なくとも一方の内面に、左右方向に、前記係止受けに嵌入する複数の係止部を設けたことを特徴とする釣竿用ケース。
【請求項２】
アウターケースを、蝶番をもって連結され、上下方向に開閉可能とした下側ケース部材と上側ケース部材とより構成し、アウターケースを開いた状態として、インナーケースをアウターケースに嵌入するようにしたことを特徴とする請求項１記載の釣竿用ケース。
【請求項３】
（削除）
【請求項４】
（削除）
【請求項５】
（削除）
【請求項６】
係止部を係止ピン、係止受けを係止孔または係止用切欠き部としたことを特徴とする請求項１〜２のいずれかに記載の釣竿用ケース。
【請求項７】
アウターケースにおける下側ケース部材と上側ケース部材とを閉じた状態に保持するためのロック機構部として、下側および上側の両ケース部材の閉じ合わせ部近傍の外表面上に、それぞれロック用突片を設けるとともに、これら両ロック用突片を同時に挟持しうるロック部材を設けたことを特徴とする請求項１、２，６のいずれかに記載の釣竿用ケース。
【請求項８】
アウターケースまたはインナーケースの少なくとも一方に、把手を設けたことを特徴とする請求項１、２，６、７のいずれかに記載の釣竿用ケース。
【請求項９】
インナーケースを、下部ケース部材と上部ケース部材とを、左右方向の非開口端部側に設けたヒンジ部または蝶番をもって連結して構成し、上下方向に開閉可能としたことを特徴とする請求項１、２，６〜８のいずれかに記載の釣竿用ケース。
【請求項１０】
インナーケースの嵌入部における左右方向の中間部にヒンジ部を設けて、開口端部側を上下方向に開閉可能としたことを特徴とする請求項１、２，６〜８のいずれかに記載の釣竿用ケース。
【手続補正２】
【補正対象書類名】明細書
【補正対象項目名】０００２
【補正方法】変更
【補正の内容】
【０００２】
課題を解決するための手段
［０００５］
上記課題は、特許請求の範囲における各請求項に示すように、下記の構成を備える発明によって解決される。
（１）左右方向の一端が開口したアウターケース内に、同じく左右方向の一端が開口したインナーケースにおける前記開口端部側を、他方の端部をアウターケースの前記開口から外部に突出させた状態で嵌入させるとともに、インナーケースのアウターケースへの左右方向の嵌入度合を調節可能とし、かつインナーケースとアウターケースの一方に設けた係止部を、他方に設けた係止受けに係止させることにより、前記嵌入度合の調節後の位置固定を行うようにし、インナーケースにおける、アウターケース内に嵌入させる嵌入部を、非嵌入部よりも縮径させるとともに、嵌入部を形成する筒状体の前後外表面に、左右方向の突条を設け、この突条に、左右方向に複数の係止受けを設け、かつアウターケースの上側ケース部材と下側ケース部材の少なくとも一方の内面に、左右方向に、前記係止受けに嵌入する複数の係止部を設けた釣竿用ケースとする。
［０００６］
（２）上記（１）項において、アウターケースを、蝶番をもって連結され、上下方向に開閉可能とした下側ケース部材と上側ケース部材とより構成し、アウターケースを開いた状態として、インナーケースをアウターケースに嵌入するようにする。
［０００７］
［０００８］
［０００９］
【手続補正３】
【補正対象書類名】明細書
【補正対象項目名】０００３
【補正方法】変更
【補正の内容】
【０００３】
［００１０］
（６）上記（１）項〜（２）項のいずれかにおいて、係止部を係止ピン、係止受けを係止孔または係止用切欠き部とする。
［００１１］
（７）上記（１）項、（２）項、（６）項のいずれかにおいて、アウターケースにおける下側ケース部材と上側ケース部材とを閉じた状態に保持するためのロック機構部として、下側および上側の両ケース部材の閉じ合わせ部近傍の外表面上に、それぞれロック用突片を設けるとともに、これら両ロック用突片を同時に挟持しうるロック部材を設ける。
［００１２］
（８）上記（１）項、（２）項、（６）項、（７）項のいずれかにおいて、アウターケースまたはインナーケースの少なくとも一方に、把手を設ける。
［００１３］
（９）上記（１）項、（２）項、（６）項〜（８）項のいずれかにおいて、インナーケースを、下部ケース部材と上部ケース部材とを、左右方向の非開口端部側に設けたヒンジ部または蝶番をもって連結して構成し、上下方向に開閉可能とする。
［００１４］
（１０）上記（１）項、（２）項、（６）項〜（８）項のいずれかにおいて、インナーケースの嵌入部における左右方向の中間部にヒンジ部を設けて、開口端部側を上下方向に開閉可能とする。
発明の効果
［００１５］
本発明によると、次のような効果が奏せられる。
請求項１記載の発明によれば、インナーケースのアウターケースに対する左右方向の嵌入度合を調節することができるため、短縮した釣竿の長さを問わず使用できるとともに、その長さに応じて可及的にケースをコンパクトにすることができ、かつインナーケースとアウターケースの両ケースにより、釣竿が保護されているため、携帯中に負荷される外力から釣竿を充分に保護することができる。
また、インナーケースの縮径された嵌入部を形成する筒状体の前後の両外表面にも桁突条に係止部が設けられているため、インナーケースが、がたつくことなく安定してアウターケース内に位置固定される。
［００１６］
［００１７］
［００１８］
【手続補正４】
【補正対象書類名】明細書
【補正対象項目名】０００４
【補正方法】変更
【補正の内容】
【０００４】
［００１９］
請求項６記載の発明によれば、係止部と係止受けを容易に形成することができる。
［００２０］
請求項７記載の発明によれば、操作が容易で、かつ確実にロックがなされるロック機構部を簡単に形成することができる。
［００２１］
請求項８記載の発明によれば、携帯が容易である。特に、アウターケースに、釣竿用ケースを横向きにしたときの把手を設けるとともに、インナーケースに、釣竿用ケースを縦向きにしたときの把手を設けることにより、携帯を一層容易にすることができる。
［００２２］
請求項９記載の発明によれば、短縮した釣竿のインナーケース内への収容が容易であるとともに、縮径されていない非嵌入部を、収容空間として利用することが容易にできる。
［００２３］
請求項１０記載の発明によれば、短縮した釣竿のインナーケース内への収容が容易である。
図面の簡単な説明
［００２４］
［図１］本発明のＲＣの斜面図である。
［図２］ＯＣを開いた状態の斜視図である。
［図３］ＩＣとＯＣとを分離した状態を示す要部拡大斜視図である。
［図４］図２において、ＯＣにおける上側ケース部材を１８０度開いた状態における要部平面図である。
［図５］図４におけるＶ〜Ｖ線断面図を、ＯＣを閉じた状態で示す拡大断面図である。
［図６］図１における一点鎖線円Ａ内の部分拡大図である。
［図７］図６におけるＶＩＩ〜ＶＩＩ線拡大断面図である。
［図８］使用状態を説明するためのＯＣのＵＰを開いた状態の斜視図である。
［図９］インナーケースの第２の実施形態を示す斜視図である。
［図１０］インナーケースの第３の実施形態を示す斜視図である。
符号の説明
［００２５］
（１）釣竿用ケース
（２）インナーケース
【国際調査報告】
2007083391.tif 000013
2007083391.tif 000014
2007083391.tif 000015